Podtech/llm-jp-corpus-v4-ja_patent huggingface dataset:
(57)【要約】［課題］脳神経外科における顕微鏡手術では両眼を顕微鏡の接眼レンズに固定したまま手術道具を持ち替えるため、持ち替える手間がかなりかかる。［解決手段］そこで一番頻繁に用いられるマイクロ鋏の構造を研究し、双極性凝固用鑷子の先端につけることによって持ち替える手間を省き、手術の時間が大幅に短縮される。２０年間手術の現場で携わった経験から、双極性凝固用鑷子に鋏の機能がついていれば持ち替えず、手術が速やかに行われることは術者にとっても、患者にとっても大変嬉しいものである。鋏付き双極性凝固用鑷子はすべての外科手術で有用である。【選択図】  図１
2005199018.tif 000002
【特許請求の範囲】
【請求項１】
双極性凝固用鑷子（１）にマイクロ鋏（２）を設けた双極性凝固用鑷子。
【発明の詳細な説明】
【発明の詳細な説明】
［発明に属する技術分野］
【０００１】この発明は、脳神経外科顕微鏡手術道具である双極性凝固用鑷子に関するものである。
［従来の技術］
【０００２】脳神経外科における顕微鏡手術では両眼を顕微鏡の接眼レンズに固定したまま手術道具を見ずに持ち替えるため多くの道具を持ち替える、持たされるのに手間がかかる。双極性凝固用鑷子とマイクロ鋏が一番頻繁に用いられることからこの二つ道具の機能が一つになれば手術時間は大幅に短縮される。
［発明が解決しようとする課題］
【０００３】  （イ）双極性凝固用鑷子で焼いたものをマイクロ鋏を持ち替えて切るため持ち替える時間がかかる。
（ロ）道具を持ち替える時、顕微鏡上の視野を失いやすい。
本発明はこれらの欠点を解決するためになされたものである。
［課題を解決するための手段］
【０００４】この発明の核心は従来の双極性凝固用鑷子の構造を研究し、双極性凝固用鑷子の本来の機能を妨げず、双極性凝固用鑷子の先端に考案したマイクロ鋏を付けたことである。
［発明の実施の形態］
【０００５】以下、本発明の実施の形態について説明する
（イ）双極性凝固用鑷子は先端をあわせることで本来の凝固機能をなす。
（ロ）双極性凝固用鑷子の絶縁部先端にマイクロ鋏を挟着、密着、接着する。
（ハ）マイクロ鋏のスケールについては、マイクロ鋏の全長１０ｍｍ、高さ、幅とも４ｍｍ、挟着部は２ｘ２ｘ１０ｍｍである。刃部は全長１０ｍｍ、刃の奥行き３ｍｍ、刃の厚さは底部０．２ｍｍ、切断部は０．０１ｍｍである。刃が入る溝のスケールは奥行き３ｍｍ、長さ１０ｍｍ、高さ０．２ｍｍである。
（ニ）マイクロ鋏の材質はステンレススチール、チタン、セラミックである。
［発明の効果］
【０００６】  双極性凝固用鑷子とマイクロ鋏を持ち替える時間が省けることにより、持ち替える時間が不要になり、手術の時間が大幅に短縮され、術野を失うことが少ないため手術が素早く行われる。
【図面の簡単な説明】
【図１】本発明の使用状態を示す説明図である。つまり、双極性凝固用鑷子の先端に付いたマイクロ鋏の刃部が合わさった図である。
【図２】本発明のマイクロ鋏部が其々双極性凝固用鑷子の絶縁部先端に付いた状態を示す図である。このようにセットして容器に入っていれば簡単に双極性凝固用鑷子へマイクロ鋏を付けられる。
【図１】
2005199018.tif 000003
【図２】
2005199018.tif 000004
(57)【要約】      （修正有）【課題】毛布は、冬等になり寒さを防ぐために使用される。就寝の当初は、部屋等も温暖で、そんなに寒くないが、毛布・布団等は温まっていないので、よじれる等の現象は起きないが、温まってくれば、毛布を蹴飛ばし、敷布の下や横に出しています。その後、夜明け前には温度も下がり、寒さで目を覚まし、再び毛布を探し、ふるえながら身体にかけていた。以上の事象が起こらないように出来ないかと考えたものである。【解決手段】人が就寝する際に基点（支点）となるところは、お尻である。お尻を敷布についているままで、下半身が簡単に毛布の下や上に移動でき、毛布機能（保温）を否定しない大きさ、切り込みにしたもので、人体にかける際、縦方向でおなか付近から太股の半ばまでの距離と、横方向で人体の巾程度の楕円等の線上の全部、または下半身側の一部とその端を結ぶ線上を切り込み空間を構成、または線上の下半身側の一部を切り込んだ構成の毛布。【選択図】図１
2005199014.tif 000002
【特許請求の範囲】
【請求項１】
毛布の平面で、人が寝る場合の通常の使用時において人体の縦方向で中心線上を基準としておなか付近から太股の半ばまでの距離、約６０ｃｍ程度と横方向で人体の巾程度、約３０ｃｍの楕円等の線上の全部、または下半身側の一部とその端を結ぶ線上を切り込み空間（生地のないところ）を設けた毛布
【請求項２】
毛布の平面で、人が寝る場合の通常の使用時において人体の縦方向で中心線上を基準としておなか付近から太股の半ばまでの距離、約６０ｃｍ程度と横方向で人体の巾程度、約３０ｃｍの楕円等を描いた下半身側の線上の一部を切り込んだ毛布
【請求項３】
毛布の平面で、人が寝る場合の通常の使用時において人体の縦方向で中心線上を基準としておなか付近から太股の半ばまでの距離、約６０ｃｍ程度と横方向で人体の巾程度、約３０ｃｍの楕円等の線上の全部、または下半身側の一部とその端を結ぶ線上を切り込みチャック等でその空間の生地を着脱可能にした毛布
【請求項４】
毛布の平面で、人が寝る場合の通常の使用時において人体の縦方向で中心線上を基準としておなか付近から太股の半ばまでの距離、約６０ｃｍ程度と横方向で人体の巾程度、約３０ｃｍの楕円等を描いた下半身側の線上の一部の切り込みをチャック等で開閉可能にした毛布
【発明の詳細な説明】
【発明の詳細な説明】
【産業上の利用分野】
【０００１】  毛布に関するものである。
【背景技術】
【０００２】  毛布は、年令や使用目的に応じ、大きさに差はあったが、面の中央付近に穴を空けるというものはなかった。
【発明が解決しようとする課題】
【０００３】  毛布は、冬等になり寒さを防ぐために使用される。
就寝の当初は、部屋等も温暖で、そんなに寒くないが、毛布・布団等は温まっていないので、よじれる等の現象は起きないが、温まってくれば、掛け布団の下で身体に掛けた毛布を蹴飛ばし、敷布の下や横に出しています。
その後、夜明け前には家の保温もなくなり、且つ温度も下がり、寒さで目を覚まし、再び毛布を探し、ふるえながら身体にかけていた。
特に、近年は、ベットが主体に成りつつあり、ベットの下に落ちてしまうことになってしまう。
以上の事象が起こらないように出来ないかと考え、中空きの毛布を発明したものである。
就寝の当初には、おなかから上は、毛布の下に、中空けの空間から足を出し、下半身は毛布の上に位置して就寝する。
毛布は、腰の位置で保持されるとともに、足は毛布の上で、暑くはならないので、蹴り出す必要もない。
寒く感じたら、温まっている毛布の下に足を移せばよい。
【課題を解決するための手段】
【０００４】  毛布の「中空き」の位置をどの位置にし、大きさは如何にすべきであるかとした場合
人が就寝する際に基点（支点）となるところは、お尻である。
よって、お尻は常に動かさない、敷布についているままで、下半身が簡単に毛布の下や上に移動でき、毛布機能（保温）を否定しない大きさ、切り込みにしたもので、毛布の面で、人体にかける際、縦方向でおなか付近から太股の半ばまでの距離、約６０ｃｍ程度と横方向で人体の巾程度、約３０ｃｍの楕円等の線上の全部、または下半身側の一部とその端を結ぶ線上を切り込み空間（生地のないところ）を構成、または線上の下半身側の一部を切り込んだ構成の毛布を基準にし、空間を設けた毛布にはその空間に対応する生地を使用してチャック等で、また切り込みだけの毛布等にはチャック等で塞ぐ、閉塞することが可能とさせた機能を加味した毛布を発明したものである。
【作用】
【０００５】    本発明は、毛布の面で、人体にかける際、縦方向でおなか付近から太股の半ばまでの距離、約６０ｃｍ程度と横方向で人体の巾程度、約３０ｃｍの楕円等の空間、または下半身側の一部とその端を結ぶ線上を切り込み空間（（生地のないところ）を設けているため、お尻は常に動かさない、敷布についているままで、下半身が簡単に毛布の下や上に移動でき、毛布機能（保温）を否定しない大きさにしたもので、保温も良い。
【実施例１】
【０００６】  毛布の平面で、人が寝る場合の通常の使用時において人体の縦方向で中心線上を基凖としておなか付近から太股の半ばまでの距離、約６０ｃｍ程度と横方向で人体の巾程度、約３０ｃｍの楕円等の線上の全部、または下半身側の一部とその端を結ぶ線上を切り込み空間（生地のないところ）を設けた毛布
【実施例２】
【０００７】  毛布の平面で、人が寝る場合の通常の使用時において人体の縦方向で中心線上を基凖としておなか付近から太股の半ばまでの距離、豹６０ｃｍ程度と横方向で人体の巾程度、約３０ｃｍの楕円等を描いた下半身側の線上の一部を切り込んだ毛布
【実施例３】
【０００８】  毛布の平面で、人が寝る場合の通常の使用時において人体の縦方向で中心線上を基準としておなか付近から太股の半ばまでの距離、約６０ｃｍ程度と横方向で人体の巾程度、約３０ｃｍの楕円等の線上の全部、または下半身側の一部とその端を結ぶ線上を切り込みチャック等でその空間の生地を着脱可能にした毛布
【実施例４】
【０００９】  毛布の平面で、人が寝る場合の通常の使用時において人体の縦方向で中心線上を基準としておなか付近から太股の半ばまでの距離、約６０ｃｍ程度と横方向で人体の巾程度、約３０ｃｍの楕円等を描いた下半身側の線上の一部を切り込み、チャック等で開閉可能にした毛布
【発明の効果】
【００１１】  布団や毛布は、昔ながらの掛けて、そのものだけでの保温が中心であった。
近年の家屋は、それ自体に保温性が高く、且つ就寝の形もベットに移行等した。
また、掛け布団等も綿が主体でなくより空気を内蔵する羽毛等が使われ、空気の移動（寒さ・暑さの流入）は、敷布と掛け布団の間からになっている。
本発明は中空けであり、敷布と掛け布団の間に本発明を使用するので、掛け布団の上からは中空け部分は薄くなるが、敷布と掛け布団の裾には本発明が存在しの空気の流入は妨げられ、かつ下半身を毛布等の上・下にすることが出来、敷布と掛け布団の間の空気の流入の妨害をコントロールできる。
【図面の簡単な説明】
【図１】  楕円の線上を全部切り込んだ実施例１の平面図
【図２】  楕円の下半身側の線上の一部を切り込んだ実施例２の平面図
【符号の説明】
１  毛布
２  中空け部分
【図１】
2005199014.tif 000003
【図２】
2005199014.tif 000004
(57)【要約】【課題】  食器洗浄用、風呂場やトイレの洗浄用、洗車用、入浴用等の用途に広く使用されているナイロンタワシ、合成樹脂を発砲させたスポンジタワシ等で更に汚れ落とし効果が低下することなく、手に余分な力をかけず弱い力を加えるだけで洗浄効果を高め、優れた汚れ落とし効果が長く維持でき細かく狭い部分の汚れ落しに適したスリットタワシを提供することにある。【解決手段】  食器洗浄用、風呂場やトイレの洗浄用、洗車用、入浴用等の洗浄において表面及び研磨加工を施した部分を程よい細かさに仕切り、手頃な深さに型抜き及び切り込みや切り目形成したことで、洗浄対象物に接触した際、手に余分な力をかけず弱い力を加えるだけで洗面部分の表面積が拡大し、包み込まれるため洗浄効果を高めることができ、水切れ、泡切れ及び通気性がよく、左右側面等に親指程の空洞を形成したことで、持ちやすく手の力は少なくてすみ、洗いやすく、又、十二支干支・動物・植物・船形等を形成することで、美的鑑賞を楽しめることを特徴とするスリットタワシである。【選択図】図１
2005199001.tif 000002
【特許請求の範囲】
【請求項１】
食器洗浄用、風呂場やトイレの洗浄用、洗車用、入浴用等の用途に広く使用されているナイロンタワシ、合成樹脂を発砲させたスポンジタワシやその片面積層のポリウレタン材等の表面及び研磨加工を施した部分を程よく細かく仕切り、手頃な深さに型抜き及び切り込みや切り目形成したことを特徴とするスリットタワシである。
【請求項２】
洗浄対象物に接触した際、手に余分な力をかけず弱い力を加えるだけで洗面部分の表面積が拡大し、包み込まれるため洗浄効果を高めることができ、水切れ、泡切れ及び通気性がよい請求項１に記載のスリットタワシである。
【請求項３】
請求項１または２記載のタワシにおいて、表面等に直接程よく細かく十二支干支・動物・植物・船形等の絵柄や色彩絵模様を施したことを特徴とするスリットタワシである。
【請求項４】
請求項１または２記載のタワシにおいて、十二支干支・動物・植物・船形等を形成する表面及び側面等に直接程よく細かく仕切り、手頃な深さに型抜き及び切り込みや切り目形成したことを特徴とするスリットタワシである。
【請求項５】
請求項１、請求項２、請求項３、請求項４に記載のタワシにおいて、左右側面等に親指程の空洞を形成したことを特徴とするスリットタワシである。
【発明の詳細な説明】
【技術分野】
【０００１】  本発明は、通常の汚れ落としの効果に優れるとともに、優れた汚れ落とし効果を保持できるタワシに関する。
【背景技術】
【０００２】  本発明は、食器洗浄用、風呂場やトイレの洗浄用、入浴用等の用途に、軟質ポリウレタン発泡体よりなるスポンジタワシが広く利用されている。しかしながら軟質ポリウレタン発泡体のみからなるスポンジタワシの場合、表面が柔らかいために、食器等に強固に付着した汚れを落とし難いという問題がある。そのため軟質ポリウレタン発泡体の片面に不織布等を積層して、硬質な層を設けたスポンジタワシが広く使用されている。【０００３】  市販されているものでは、ウレタンスポンジとサラン樹脂を張り合わせたものを多くみかける。
【発明の開示】
【発明が解決しようとする課題】
【０００４】  本発明の目的は、通常の食器洗浄用、風呂場やトイレの洗浄用、洗車用、入浴用等の用途に広く使用されているナイロンタワシ、合成樹脂を発砲させたスポンジタワシ等で更に汚れ落とし効果が低下することなく、手に余分な力をかけず弱い力を加えるだけで洗浄効果を高め、優れた汚れ落とし効果が長く維持できるタワシを提供することにある。
【課題を解決するための手段】
【０００５】  上述の目的を達成するため、本発明は、通常のタワシの表面を程よく細かく仕切り、手頃な深さに型抜き及び切り込みや切り目形成を施すことにより、手に余分な力をかけず弱い力を加えるだけで優れた汚れ落とし効果が長く維持できるタワシを提供できるようになっている。【０００６】  洗浄対象物に接触した際、型抜き及び切り込み形成の部分に包み込まれるため、細かい部分に入り込みやすく、洗浄効果を高めることができ、水切れ泡切れ及び通気性がよいタワシである。
【発明の効果】
【０００７】  本発明によれば、通常の洗剤の使用量を減らす効果が洗剤の使用量をより少なくでき、汚れた箇所を綺麗に擦り落とすことができる。【０００８】  本発明によれば、表面に手頃な深さに型抜き及び切り込みや切り目形成を施すことにより狭い部分等を容易に洗浄することができ、洗浄作業性に優れる。【０００９】  以上のように本発明によれば、狭い部分等を容易に洗浄することができ、洗浄作業性に優れ、指が届きにくい細かな隙間等にも好適に使用することができる。
【発明の実施するための最良の形態】
【００１０】  以下に、本発明の実施の形態を図１にて説明する。
【００１１】  図１は、本発明のスリットタワシの全体の構成図である。すなわち、洗浄能力を高めることができ、食器の茶渋、台所や風呂場、洗面台等のシンク，タイル目地等の水垢、カビ等を容易に除去できるとともに、快適に使用することができる。
【実施例】
【００１２】  本発明のスリットタワシは、食器洗浄用、風呂場やトイレの洗浄用、洗車用、入浴用等の洗浄において表面及び研磨加工を施した部分を程よい細かさに仕切り、手頃な深さに型抜き及び切り込みや切り目形成したことで、洗浄対象物に接触した際、手に余分な力をかけず弱い力を加えるだけで洗面部分の表面積が拡大し、包み込まれるため洗浄効果を高めることができ、水切れ、泡切れ及び通気性がよく、左右側面等に親指程の空洞を形成したことで、持ちやすく手の力は少なくてすみ、洗いやすく、十二支干支・動物・植物・船形等を形成することで、美的鑑賞を楽しめる。
【図面の簡単な説明】
【００１３】
【図１】は本発明の全体の構成図である。
【図２】は本発明のクジラの側面図である。
【符号の説明】
１  タワシ本体
２  表面及び片面積層体部分に程よく細かく仕切り、手頃な深さに型抜き及び切り込みや切り目形成
３  表面の洗浄対象物接触面
４  片面研磨加工を施した積層体部分
５  親指程の空洞
６  装飾
７  装飾
８  洗浄対象物接触面程によく細かく仕切り、手頃な深さに型抜き及び切り込みや切り目形成
【図１】
2005199001.tif 000003
【図２】
2005199001.tif 000004
(57)【要約】【課題】  脳の活動量を歩数計のように手軽に計測して、脳内の運動量を分かりやすく数値で表現できるようにすることを目的とした健康器具を提供する。【解決手段】  脳内歩数計（１）には、入力部として、指の動作を感知するための押しボタン（８）を、親指用〜小指用と、５個以上に分けて並べて設置する。集積回路に、脳の活性化に必要なプログラムや計算式を入力して本体内部に組み込み、液晶画面（２）で使用者に課題を与えたり、脳内の運動量を表示するようにしておく。  以上の装置を手の平で握れるほどの大きさの機械になるように組み立てる。【選択図】  図１
2005199004.tif 000002
【特許請求の範囲】
【請求項１】
簡単な指先のボタン操作により脳の活動量が推測．計算できて、計算結果を数値にして液晶画面（２）で表示する携帯型計測器。
【請求項２】
入力ボタン（８）が、本体側面から下部にかけて５個〜１０個並べて配置されており、片手の五本の指で五つのボタンを同時に押したりできる構造になっていて、片手で持ち歩きながら使用することができる携帯型計測器。
【発明の詳細な説明】
【発明の詳細な説明】
【技術分野】
【０００１】  この発明は、健康用器具に関する電子機械であり、その中でも、脳の健康維持のために使う物である。
【背景技術】
【０００２】  従来、痴呆防止等を目的とした道具として、パズル．球技用具などの簡単な遊具や磁気発生小物などがあった。
【発明が解決しようとする課題】
【０００３】  今までは、歩数計など、身体の運動量を測って表示する道具はあったが、脳の活動量を歩数計のように手軽に計測できる道具は無かった。また、パズルやクイズなどの難しい問題に挑戦して脳を鍛えるなどの方法もあるが、これらは効果を数値にして表すことができないため、脳を鍛えてるという実感を持てずにいた。また、携帯型のゲーム機や遊具等を使う場合は、他人から、ただの手遊びをしていると思われてしまう恐れがあった。
本発明は、以上の問題点を解決し、脳の活動量を歩数計のように手軽に計測できるようにした物である。
【課題を解決する手段】
【０００４】  脳内歩数計（１）には、使用者の脳の活動内容を捉らえる入力部と、活動量を計算する部分と、計算結果等を表示する部分を設置する。
入力部として、指の動作を感知するための押しボタン（８）を、親指用〜小指用と、５個以上に分けて並べて設置する。
集積回路に、脳の活性化に必要なプログラムや計算式（ボタン操作の状況から、使用者がどの程度の思考活動をしているのかを測定する計算式）を入力して本体内部に組み込み、液晶画面（２）で使用者に課題を与えたり、脳内の運動量を表示するようにしておく。
以上の装置を手の平で握れるほどの大きさの機械になるように組み立てて、簡単な指の動作から脳の活動量を推測．計算できるようにしておく。
【発明を実施するための最良の形態】
【０００５】  以下、本発明の実施の形態を説明する。
（Ａ）本発明の本体（１）の形状を、手の平で軽く握れて、持ち歩きしやすいように設計し製造する。
（Ｂ）本体（１）の側面から下部にかけて、押しボタン（８）を、親指用（３）．人差し指用（４）．中指用（５）．薬指用（６）．小指用（７）、という具合に５つ以上に分けて、並べて設置する。
（Ｃ）さらに本体（１）の側面に液晶画面（２）を設置し、内部には集積回路等を組み込む。
（Ｄ）内部の集積回路には、ボタンの押し方．押す手順．入力信号から、脳内歩数などの数値を出す計算式など、脳の活性化に必要なプログラムを記憶させておき、それらの情報を液晶画面（２）で表示するように設定しておく。
（Ｅ）（本発明を使用する場合は、落下防止用のベルト（９）や専用手袋等を本体（１）に付けて使用すると、落下する心配がなくて便利である）
本発明は以上の構成よりなる。
【使用例】
【０００６】  入力ボタン（３）〜（７）は、同時に二つ押したり五つ押したりできるので、全部で３１種類の押し方がある。
例えば、「この３１種類の入力動作を全て行ってください」という課題を使用者に与え、課題達成後には何点かの「脳内歩数」を加算することによって、普通の歩数計を使うのと同じような感覚で脳の健康を維持することができるようになる。
【発明の効果】
【０００７】  本発明を使用して、出された課題を達成するためには様々な脳神経を活動させる必要がある。さらに指を複雑に動かすことによって運動神経や知覚神経も使うことになる。
そのため本発明の使用によって、普段使われることのない神経細胞に刺激が与えられ、神経細胞の衰えを防ぐ効果が生まれる。そしてその結果を数値にして表現することができるため、使用者は自分の思考活動量を知ることができる。また、パズルや携帯ゲームの類とは違って、他人のいる前で使用しても遊んでいるとは思われず、人目を気使うことがない。
【図面の簡単な説明】
【０００８】
【図１】      本発明の側面図
【図２】      本発明の使用状態を示した斜視図
【符号の説明】
【０００９】  （１）本体、（２）液晶画面、（３）親指用入力ボタン、（４）人差し指用入力ボタン、（５）中指用入力ボタン、（６）薬指用入力ボタン、（７）小指用入力ボタン、（８）入力ボタン、（９）落下防止用ベルト
【図１】
2005199004.tif 000003
【図２】
2005199004.tif 000004
(57)【要約】【目的】常時の手袋を使用している職業人、冬期手袋を使用する地方の人々が、その都度、手袋を脱いで内部に指を入れなくとも容易に収納物品を取出せるホルダーケースを提供するものである。【構成】携帯電話等の物品を収納して携行するホルダーケースにおいて、該ケース収納部の対向内面壁または角に、反撥力有し伸縮性を備えた帯体を設けたことを特徴としている。  また、背面部の外方面に袋部を設けるとともに、該袋部外面に、片端または両端が着脱自在なバンドを設けている。【選択図】  図５
2005199009.tif 000002
【特許請求の範囲】
【請求項１】
携帯電話や折りたたみナイフ、懐中電灯等といつた物品を収納して携行するホルダーケースにおいて、該ケース収納部の対向する内面壁または角に、伸縮性を有し反撥力を備えた帯体を設けたことを特徴とするホルダーケース。
【請求項２】
背面部の外方面に袋部を設けるとともに、該袋部の外壁に、片端或いは両端部が着脱自在なバンドを設けた請求項１記載のホルダーケース。
【発明の詳細な説明】
【発明の詳細な説明】
【技術分野】
【０００１】  本発明は携帯電話や折りたたみナイフ、懐中電灯等といった物品を収納して携行するホルダーケースに関するものである。
【背景技術】
【０００２】  内、例えば携帯電話用のケースは、多種多様の物が販売されており需要者の選択肢は多い。しかしながら、それらの多くは意匠的な面の要素が強く、特に、機能的面が要求される屋外作業者用に適したものは見当たらない。
これらの物品を収納携行するためのフォルダーケースの従来品は、単に収納するに適した大きさや、携行するに託する着脱の利便性を追求したものであった。
したがってこれらの物は、所謂ファション性を追求したもので、屋外で或いは寒冷地で常時手袋を使用して作業する人達が求める機能性を備えた物ではなかった。
すなわち、蓋部を開けば自然と収納物品がケースから浮き上がり、ケースの内部に指を入れなくとも取り出せ且つその収納も簡単なホルダーケースが求められていた。この事は常時手袋を使用している職業の人々にとって重要なことである。
【発明が解決しようとする課題】
【０００３】  本発明は以上の要求に応えるためになされたもので、外形は従来品となんら変り無く意匠的要素を備えながら、手袋を常時使用している職業の人々が、その都度、手袋を脱がなくとも使用できるホルダーケースを提供するものである。
【課題を解決するための手段】
【０００４】  本発明は、前記目的を達成するため、物品を収納して携行するホルダーケースにおいて、該ケースの収納部の両側面部や正面部と背面部等の対向する内面壁または角に、伸縮性を有し反撥力を備えた帯体を設け構成されたことを特徴としている。
【０００５】  また、背面部の外方面に袋部を設けるとともに、該袋部の外面に、片端か或いは両端部が着脱自在なバンドを設け課題を解決するための手段としている。
【作用】
【０００６】  本発明は、以上のような構成を有するホルダーケースを提供するものである。
したがって、ケースの蓋部を開けば、対向内面壁または角にその両端が取付けられている伸縮性を備えた帯体の反撥力で、収納されている携帯電話等の物品は上方に浮き上げられ、ケースから頭部をあらわすこととなる。
【発明を実施するための最良の形態】
【０００７】  本発明は、以下ここで実施例を説明する携帯電話用のケースに限定されるもので無く、上記記載の物品の他、例えばランドセル等、収納した内容物を浮き上らせて、取り出しを容易にするものであれば多用途に利用できる発明である。以下に本発明の実施の形態について図面を参照して説明する。【０００８】図１は、本発明を実施した携帯電話用ホルダーケース正面部の説明図で、図２はその背面部の説明、図３は蓋部を開いたときの説明図で、図４は一部切欠で収納部の内部を示し、図５はケース内部を一部断面で示す説明図である。下順にその実施の形態につき詳細に説明する。【０００９】  図１図２及び図３による本発明実施に係る携帯電話用ケースの外形的全体構成は、正面部１、背面部６、側面部３及び蓋部２とで収納部４を形成し、蓋部２は、その裏面に設けた面ファスナー１１と正面部１表面に設けられた面ファスナー１２とで、開閉自在になっていて、前記背面部６と一体的である。図中符号５のスナップは意匠的効果を目的としたものである。【００１０】  背面部６には袋部８を有し、該袋部の外面には、上端に吊輪１０を備えると共に下端はスナップ９で着脱自在にバンド７が設けられ（ここでは長手方向中央部に）ている。
このバンド７は、携行者のベルトに取付けられるためのもので、上端が固定され下端が着脱自在な実施例で図示されているが、逆であったり、或いは上下両端が着脱自在であったり、または、ベルトを短手方向に設けても本発明の実施例となる。【００１１】  図３では、蓋部２の開放により、収納されている携帯電話１３が帯体の反撥力で自然と収納部４から浮き上り、その頭部をケースから出していることを示している。【００１２】  図４及び図５では、これまでの各図で説明されていない本発明の重要な部材である帯体１４を主として説明するもので、該帯体１４は対向する正面部１と背面部３の内面壁に取付けられる。この帯体は、伸縮性を有し反撥力を備えた例えば、ゴム織布等が使用され、図示以外の対向する内面壁の両側面壁や各角に取付けられても差支えない。
【発明の効果】
【００１３】  本発明は、携帯電話等の物品を収納して携行するホルダーケースにおいて、該ケースの収納部の正面部と背面部、或いは両側面部のように対向する内面壁や角に、伸縮性を有し、反撥力を備えた帯体を設け構成されたものであるから、蓋部を開放すれば、収納部に収まっている物品は、帯体の反撥力によって、自然と持上げられて収納部から頭部を出すこととなる。
一方、収納するときは収納部にそのまま押込めるだけで良く、したがって、常時手袋を使用している職業の人々や冬期手袋を使用する地方の人々にとって、手袋をその都度、外すことなく取出して使用できる効果は大きい。
また、背面部外面壁には袋部を設けるとともに、該袋部に、少なくとも上下の一方端部が着脱自在なバンドを設けているので、該ケースをベルトに通して使用でき、その取外しも容易であるばかりでなく、袋部にはメモや切符、携帯電話にあってはループ紐等の小片物を入れておけるので使い勝手が良い。
【図面の簡単な説明】
【図１】本発明を携帯電話ホルダーケースに実施した正面部の説明図である。
【図２】背面部の説明図である。
【図３】蓋部を開いたときの説明図である。
【図４】一部切欠図で収納部の内部に取付けられる帯体を説明する図である．
【図５】ケースの収納部内を一部断面で示す説明図である。
【符号の説明】
１正面部    ２蓋部    ３側面部    ４収納部    ５スナップ    ６背面部
７バンド    ８袋部    ９スナップ    １０吊輪    １１，１２面ファスナー
１３携帯電話    １４帯体
【図１】
2005199009.tif 000003
【図２】
2005199009.tif 000004
【図３】
2005199009.tif 000005
【図４】
2005199009.tif 000006
【図５】
2005199009.tif 000007
(57)【要約】【課題】  折りたたみ易く、組み立て易い商品を作り、様々な分野で活用する。【解決手段】  １平面上に複数の合同な２等辺３角形を並べ、谷折りしたり、山折りしたり折らなかったりすることにより、立体に組み立て、折りたたむことができる折り方を活用し、その他の折り方やいろいろな２等辺３角形を混ぜたりすることで、様々な折りたたみ方ができ、多種多様な商品に適応できることを特徴とする【選択図】  図４
2005199063.tif 000002
【特許請求の範囲】
【請求項１】
１平面上に複数の合同な２等辺３角形を並べ、谷折りしたり、山折りしたり、折らなかったりすることにより、立体に組み立て、折りたたむことができる折り方を活用した容器、建て物、装置、装飾、台、部品、袋、柵、管、おもちゃ、作品、等。
【発明の詳細な説明】
【技術分野】
【０００１】  本発明は容器、建て物、装置、装飾、台、部品、袋、柵、管、おもちゃ、作品等に関する。
【背景技術】
【０００２】  従来、組み立てるのが困難であったり、使わないときにかさばったり、処分する際、持ち運びにくい商品は数多くあった。
【発明の開示】
【発明が解決しようとしている課題】
【０００３】  このため、テントなどはある程度の技術がないと組みたてられなかったり、子供のおもちゃをしまうスペースがなかったり、飲み物の容器がリサイクルに回りにくかったりした。
【０００４】  本発明は、このような点に鑑みて成されたものであり、その目的は、使う時に出し易く、しまう時にしまい易く、処分する時に処分しやすい商品を作ることにある。
【課題を解決するための手段】
【０００５】  上述の目的を達成するための本発明の折りたたみ式商品は、１平面上に複数の合同な２等辺３角形を並べ、谷折りしたり、山折りしたり、折らなかったりすることにより、立体に組み立て、折りたたむことができる折り方を活用している商品である。
【発明の効果】
【０００６】  本発明は、様々な形のものを容易に折りたたむことができ、組み立てることができるので、せり上がってくる舞台や、折りたたみ可能な管を作ったり、簡単に組み立てられるテントを作ったり、リサイクル活動をしやすくしたり、ちょうちん等の芸術作品の幅を広げたり、装飾などのレクレーション活動の時により楽しくできたりする。
【発明を実施するための最良の形態】
【０００７】  以下、本発明の実施の形態を図面に基づき詳細に説明する。【０００８】  まず、折りたたんだ時に上から見た形が正Ｘ角形になり、開いた時に筒状になるときの折り方について説明する。【０００９】  その時、２等辺３角形の底角の大きさは、１８０分のＸ度と、数式上表される。【００１０】  正７角形を例にあげて説明すると、図１はその展開図の１部である。【００１１】  １８０分の７度なので底角の大きさは、２５、７１‥‥度になる。【００１２】  全ての長い方の辺を谷折り、全ての短い方の辺を山折りしていくと（逆の場合も考えられ、その時は長い辺を山折り、短い辺を谷折り）、図２のようになっていく。【００１３】  そして、１回転して上から見たら、図３のようになっている。【００１４】  これを重ねて、間をくっつけ（図４）、開くと、円柱のような形に開ける。【００１５】  また、らせん状に組み立てることもできる。その場合は、図１をまだ横に伸ばしていき、らせん状に巻いていき、間をくっつけていけば良い。【００１６】  他に、図５のような展開図でも組み立てることができる（らせんも可）。【００１７】  次に、直線になる折り方を説明する。【００１８】  図６では、底角の大きさが３０°の２等辺３角形を例として書いてあるが、横の３本の長い平行線は考えずに、斜めの線だけで考えていくと、まず長い方の辺を谷折りし、次の短かい辺を無視し、次の長い方の辺を山折りし、次の短かい方の辺を無視し、次の長い方の辺を谷折りし．．．と続けていくと直線に折れる。【００１９】  また逆に短かい方の辺を谷折りし、次の長い方の辺を無視し、次の短かい方の辺を山折りし、次の長い方の辺を無視し、次の短かい方の辺を谷折りし．．．．と続けていくと、それも直線に折れる。【００２０】  次に、曲線になる折り方を説明する。【００２１】  曲線もまず横の３本の長い平行線は考えずに斜めの線だけで考えていくと、短かい方の辺を山折りし、次の長い方の辺を谷折りし、次の短かい方の辺を山折りし．．．．と続けていくと曲線に折れる。【００２２】  逆の方向に曲げたい時は、短かい方の辺を谷折りし、次の長い方の辺を山折りし、次の短かい方の辺を谷折りし．．．と続けていくと逆方向の曲線に折れる。【００２３】  実際に手で折る時などは、横の３本の平行線の真ん中の線で切り離し、折り目をいれた後で上下をくっつけると、作業し易い。（図７）【００２４】  これらの直線や曲線を組み合わせていけばいろいろな形に組み立てられる。図８、図９、図１０は折りたたんだ時、上から見た図。【００２５】  他にも合同な２等辺３角形だけで組み立てるのではなく、違う形の２等辺３角形を組み合わせたり、じゃばら折り等の他の折り方を組み合わせたりすることでバリエーションはかなり増えると考えられる。（図１１，１２）
【図面の簡単な説明】
【００２６】
2005199063.tif 000003
【図２】折っていく途中の説明の図である。
2005199063.tif 000004
【図４】本発明の見とり図の例である。
【図１】
2005199063.tif 000005
【図２】
2005199063.tif 000006
【図３】
2005199063.tif 000007
【図４】
2005199063.tif 000008
【図５】
2005199063.tif 000009
【図６】
2005199063.tif 000010
【図７】
2005199063.tif 000011
【図８】
2005199063.tif 000012
【図９】
2005199063.tif 000013
【図１０】
2005199063.tif 000014
【図１１】
2005199063.tif 000015
【図１２】
2005199063.tif 000016
(57)【要約】【課題】ハンマーで大きな衝撃力を対象物に与えるには重りを速い速度で振り回さなければならないが、遅い速度でも対象物に大きな衝撃力を与える事が出来るハンマーを供給する。【解決手段】ハンマーが対象物を押す力をハンマー内の移動可能な重りを押す力として蓄え、ハンマーが対象物を押さえた状態でハンマー内の重りを押す力を開放することによりハンマー内の重りを速い速度で衝突させ、大きな衝撃力を対象物に与える事を可能にする。【選択図】図１
2005199408.tif 000002
【特許請求の範囲】
【請求項１】
ハンマーが対象物を押す力をハンマー内の移動可能な重りを押す力として蓄え、ハンマーが対象物を押さえた状態でハンマー内の重りを押す力を開放することによりハンマー内の重りを衝突させ、衝撃力を発生させるハンマー。
【発明の詳細な説明】
【技術分野】
【０００１】
本発明は、衝撃力を発生させる工具であるハンマーに関するものである。
【背景技術】
【０００２】
ハンマーやかなづちは衝撃を与える工具として用いられている。衝撃力は質量に速度の二乗を乗算したものであるので、速度が速いほど衝撃力が大きい。
【０００３】
手工具としてのハンマーの構造として、長い柄の先に重りを装着する。重りと反対側の柄の端を持ち、勢いをつけて重りを対象物に衝突させる。
【０００４】
一般に重りは平面を有する形状で、この平面を直接対象物に衝突させることにより、衝撃力を対象物に与える。
【０００５】
しかし、対象物を手で保持していたり小さい場合など、重りの勢いを付けられない。重りの勢いが小さいと衝撃力も小さくなってしまう。
【特許文献１】特開平１０−１３８１７０
【発明の開示】
【発明が解決しようとする課題】
【０００６】
解決しようとする問題点は、重りの勢いが小さいと小さな衝撃力しか与えられない点である。
【課題を解決するための手段】
【０００７】
本発明は、ハンマーが対象物を押す力を蓄え、開放することにより衝撃力を大きくすることを最も主要な特徴とする。
【発明の効果】
【０００８】
本発明のハンマーはハンマーが対象物に当たりハンマーが対象物を押す力を蓄え一度に開放するため、ハンマーが対象物に衝突する速度が小さくても大きな衝撃力を対象物に与えることが出来る利点がある。また、ハンマーが対象物を押した状態で衝撃力を与えるため、安定した状態で衝撃力を与えられる利点がある。
【発明を実施するための最良の形態】
【０００９】
ハンマーが対象物を押す力を蓄え衝撃力として対象物に与える機構を単純な構造で実現した。
【実施例１】
【００１０】
本発明の実施例を図を用いて説明する。実施例１はハンマーの重りが対象物を押す力をバネで蓄える例である。
【００１１】
図１，図２，図３に共通する説明をする。
可動重り軸５は可動重り４に固定されている。可動重り４は可動重り押さえバネ７により下に押されている。衝撃重り６は衝撃重りバネ９により下に押されている。
衝撃重り６の中央には可動重り軸５が上下に移動できるように衝撃重り軸穴６ａが開いている。可動重り６の上部には衝撃重り押さえ金具１０が取り付けられ、衝撃重り押さえ金具１０の中央には可動重り軸５が上下に移動できるように衝撃重り押さえ金具軸穴１０ａが開いている。
衝撃重り押さえ金具１０は衝撃重り押さえ金具バネ８により外側へ押されている。衝撃重り押さえ金具１０は重り外殻３の重り外殻テーパー部３ａにより内側に押し込まれる。
衝撃重り押さえバネ９は衝撃力調整蓋２により押さえられている。衝撃力調整蓋２は衝撃力調整蓋ネジ部２ａで重り外殻ネジ部３ａと組み合わされており、衝撃力調整蓋２を衝撃力調整蓋ネジ部２ａによる上下に動かすことにより衝撃重り押さえバネ９が衝撃重り６を押す力を調整できる。
【００１２】
図１は、実施例１が対象物を押す前の状態の断面図である。可動重り４及び可動重り軸５は可動重り押さえバネ７により押し下げられている。衝撃重り６は衝撃重りバネ９により押し下げられている。衝撃重り押さえ金具１０は重り外殻テーパー部３ｂに到達していないので衝撃重り押さえ金具バネ８により押し出され、衝撃重り押さえ金具軸穴１０ａが中央からずれ可動重り軸５の上部を塞いでいる。
【００１３】
図２は、実施例１のハンマーが対象物を押す力を最も蓄えた状態の断面図である。可動重り４及び可動重り軸５は対象物によりにより押し上げられている。衝撃重り６は衝撃重り押さえ金具１０が図１の状態で可動重り軸５の上部を塞いでいたため可動重り軸５に押し上げられている。衝撃重り押さえ金具１０は重り外殻テーパー部３ｂに到達し、重り外殻テーパー部３ｂにより押し込まれ衝撃重り押さえ金具軸穴１０ａが中央移動して可動重り軸５が動けるように上部を空けている。
【００１４】
図３は、実施例１のハンマーが蓄えた力を放出し対象物に衝撃力を与えた状態の断面図である。可動重り４及び可動重り軸５は対象物によりにより押し上げられている。衝撃重り６は衝撃重り押さえ金具１０が図２の状態で可動重り軸５の上部を空けているため衝撃重りバネに押されて下へ落ち、可動重りを通して対象物に衝撃を与えている。
【００１５】
実施例１は、ハンマーの柄１を持ち対象物に可動重り４をぶつける事により、図１の状態から可動重り４が押し上げられ、図２の状態で重り外殻テーパー部３ｂに到達したところで衝撃重り押さえ金具軸穴１０ａが開き、衝撃重りバネ９に押された衝撃重り６が一挙に落ち、図３の状態で可動重りを通して対象物に衝撃を与える。
【産業上の利用可能性】
【００１６】
ハンマーを対象物にぶつける速度が小さくても、ハンマー内に衝撃力を蓄えて対象物に衝撃を与えるため、小さな力で大きな衝撃力を与える用途に適応できる。
【図面の簡単な説明】
【００１７】
【図１】実施例１の対象物を押す前の状態の断面図を示した説明図である。
【図２】実施例１のハンマーが対象物を押す力を最も蓄えた状態の断面図を示した説明図である。
【図３】実施例１のハンマーが蓄えた力を放出し対象物に衝撃力を与えた状態の断面図を示した説明図である。
【符号の説明】
【００１８】
１      ハンマーの柄
２      衝撃力調整蓋
２ａ    衝撃力調整蓋ネジ部
３      重り外殻
３ａ    重り外殻ネジ部
３ｂ    重り外殻テーパー部
４      可動重り
５      可動重り軸
６      衝撃重り
６ａ    衝撃重り軸穴
７      可動重り押さえバネ
８      衝撃重り押さえ金具バネ
９      衝撃重りバネ
１０    衝撃重り押さえ金具
１０ａ  衝撃重り押さえ金具軸穴
【図１】
2005199408.tif 000003
【図２】
2005199408.tif 000004
【図３】
2005199408.tif 000005
(57)【要約】      （修正有）【課題】針の打ち込み位置を選ばない。構造が簡単であり、高価な物にならず、又、使用するのにも簡単でだれにでも使用するのになんらさしつかえないホチキスを提供する。【解決手段】３枚の板状の物を張り合わせて上板状物の部分の一部を取りここに針の入っているケースを持ってきて、これで針の位置を決めて、上層部の一部を下へ押した時、下板状物７の部分にホチキスと同じ金属性の針の受け皿を用意して、ケースの中の針が針の受け皿に針がくるように設定すると、上板状物５と下板状物７の間に紙類を入れる事により場所を選ばずに針を打ち込む事が出来る。【選択図】図８
2005199417.tif 000002
【特許請求の範囲】
【請求項１】
図３、図４に示すようにホチキスの上層部▲１▼と▲２▼を利用して図５に示すようにホチキスの針の位置をきめようとする物を上部に設置し、図７に示すように落ちてきた針をまげようとする物を下部に設置して組み合わせた物、又、ホチキスの上層部▲１▼と▲２▼に似せた物を作成し、この物に合わせた物も含む。
【発明の詳細な説明】
【技術分野】
【０００１】  この発明は、市販のホチキスを利用して、場所を選ばないで、どこにでもホチキスの針を打ち込もうと言う物である。
【背景分野】
【０００２】  従来のホチキスは図１に示すように針の保管する部分▲１▼と▲２▼と針の受け皿の部分▲３▼と▲４▼は一体の形を形成していた。
【発明の開示】
【発明が解決しようとする課題】
【０００３】  これは次のような問題点があった。
市販のホチキスでは紙をはさむ部分の奥行きが決まっており、どこにでもホチキスの針を打ち込むと言う訳にはいかなかった。
本発明は、以上のような欠点をなくすためになされたものである。
【課題を解決するための手段】
【０００４】  図４に示すようにホチキスの上層部▲１▼▲２▼と下層部▲３▼▲４▼とに分離して、▲２▼の部分の中の針を▲３▼の部分の針の受け皿部分に上層部と下層部を分離する事により場所を選ばずに的確に針を込むようにしたものある。
以上の構成よりなる上層部と下層部を分けたホチキスである。
【発明の効果】
【０００５】  上層部▲１▼▲２▼と下層部▲３▼▲４▼とに分ける事により針の打ち込み位置を選ばない。図８に示すように構造が簡単であり、高価な物にならず、又、使用するのにも簡単でだれにでも使用するのになんらさしつかえない。
【発明を実施するための最良の形態】
【０００６】以下。本発明の実施例について説明する。
図１はホチキスの斜視図で各場所に▲１▼▲２▼▲３▼▲４▼と番号を付けてある。
図２  図３  図４は市販のホチキスの側面図で下層部▲３▼▲４▼が本案では不要なので図３のように後方へ図４のように取り外した状態を説明している。
又、本案はこの▲３▼と▲４▼を工夫した物である。
つまり、市販のホチキスの上層部の▲１▼と▲２▼を利用して、下層部の▲３▼と▲４▼の変わりに図５の▲５▼、図６の▲６▼、図７の▲７▼を組み合わせて、図８に示す物（本案）を作成した物である。
詳細は図５  図６  図７に示すように薄い板状の物を用意して、３枚を張りあわせると図▲８▼に示すようになる。
図５の▲５▼は板状の一部分▲８▼をくりぬいた物で▲８▼の内寸と図１に示すホチキスの針が入っているケース（▲２▼）の外寸と一致させた物ある。
図６の▲６▼は図５の▲５▼と図７の▲７▼との間に紙を入れる空間を作る為にある。
図７の▲７▼は▲８▼の部分にホチキスの上層部、▲１▼及び▲２▼を持ってきて、これを▲７▼に設置してある、▲３▼の上に対し下へ押した時、▲２▼の中にある針の先端が▲７▼の上にある▲３▼つまり、針の受け皿にくるように▲３▼を設置したものである。
図▲８▼に示すように、▲９▼の長さを２０ｃｍから２５ｃｍ位とすると図９に示すように新聞紙の中央付近まで針がとどき、針をとめる事が出来る。
本発明は、以上のような構造であり使用する時は図９の例（新聞紙）に示すとおりである。
【図面の簡単な説明】
【０００７】
【図１】本発明の斜視図である。
【図２】本発明の側面図である。
【図３】本発明の側面図である。
【図４】本発明の側面図である。
【図５】本発明の斜視図である。
【図６】本発明の斜視図である。
【図７】本発明の斜視図である。
【図８】本発明の斜視図である。
【図９】本発明の上面図と新聞紙である。
【符号の説明】
【０００８】      ▲１▼  ホチキスの上層部の一部分
▲２▼  ホチキスの針の入るケース
▲３▼  ホチキスの針の受け皿で針をまげる部分
▲４▼  ホチキスの下層部
▲５▼  本案の一部であり、板状の物で材質はプラスチックのような物
▲６▼  本案の一部であり、板状の物で材質はプラスチックのような物
▲７▼  本案の一部であり、板状の物で材質はプラスチックのような物
▲８▼  ▲５▼の一部分を切り取ってある事を示している
▲９▼  図８に示すように▲６▼の端から▲３▼までの距離を示している
【図１】
2005199417.tif 000003
【図２】
2005199417.tif 000004
【図３】
2005199417.tif 000005
【図４】
2005199417.tif 000006
【図５】
2005199417.tif 000007
【図６】
2005199417.tif 000008
【図７】
2005199417.tif 000009
【図８】
2005199417.tif 000010
【図９】
2005199417.tif 000011
(57)【要約】【課題】  電動丸ノコの使用時に使用部材が丸ノコ下部のスライドフレームカバーに当たり、流れが悪くなり一時的に停止するときがあり大変危険を伴うため、作業が安全且つ快適に使用できる構造を得る。【解決手段】  電動丸ノコ本体１１と丸ノコの刃をカバーする円形型フレーム上部１２とは一体となっている。しかし下部のスライドフレームカバーは、使用部材２５を切断する時点で２５に押されてスライドする構造となっているが、従来の丸ノコはいずれも途中で一時停止するなど、使用し難く危険が伴う。その解決策として、下部のスライドフレームカバーの先端にローラー１６を取り付ける事により、使用部材２５がローラー１６と接触した時点でローラー１６が回転し、下部スライドフレームカバーが停止することなく、作業がスムーズに快適に、又、作業者の安全を確保することが出来る。【選択図】          図１
2005199416.tif 000002
【特許請求の範囲】
【請求項１】
電動丸ノコ下部の安全スライドフレームカバーの先端にローラーを取り付けることにより、スライドカバーが自動でスムーズに動き、作業が安全且つ快適に行われる。尚、本考案のローラーの大小、及びローラーの数量については、全て本考案の範囲とする。電動丸ノコの刃をカバーする半径下部スライドフレームカバーにローラーを設けたことを特徴とする電動丸ノコ。
【発明の詳細な説明】
【発明の詳細なる説明】
【技術分野】
【０００１】  本発明は、電動丸ノコを使用する各種作業に際し、無理なく作業が出来、且つ作業員の安全を守るために関するものである。
【背景技術】
【０００２】  電動丸ノコは安全の為、ノコ刃をカバーする本体のフレーム上部と下部のスライドフレームカバーに分かれている。下部のフレームカバーはレバー付スライド式になっており、作業時には人力にてスライドさせて作業者の安全を保っている。
【発明が解決しようとする課題】
【０００３】  ところで、電動丸ノコを使用する際、丸ノコの下部にあるスライドフレームカバーが作業時自動的にスムーズに動かない。いずれの丸ノコも同じである。その為作業者は使用時に半径下部のスライドフレームカバーを手で引き上げる。又は固定するなどさまざまな操作手段にて使用するので、作業者は勿論周りの人の危険にもつながる。
【０００４】  電動丸ノコは回転が速く大変危険で、コンセント接続後は少しの油断も許されない。又現在の電動丸ノコに自ら手を加えることは、誤作動、事故につながる為である。電動丸ノコを使用する時は常に何時も、危険をはらんでいる。作業者の安全を保つため従来の電動丸ノコでは次のような問題があり末だ改良の余地を残している。
【課題を解決するための手段】
【０００５】  前記目的を達成して課題を解決する為、本発明に係る電動丸ノコの丸ノコ安全カバーは本体フレームと下部のスライドフレームカバーとに分かれている。作業時には下部フレームカバーは使用部材を切断する時にスライドして下部フレームカバーが回転する仕組みになっているが、現在の下部フレームカバーはスムーズに流れない。そこで本発明は下部フレームカバーにローラーを取り付けることにより、摩擦を避け使用部材の上辺を回転しながら下部フレームカバーを持ち上げ、流れよく、安全で快適な作業が出来る。
【作用】
【０００６】  本発明の電動丸ノコは、丸ノコの刃を包む本体上部半径と下部半径にて構成されている。下部フレームカバーはスライド式になっている。その下部のスライドフレームカバーの先端から回転軸に向かって、ローラーを取り付ける。ローラーは小型であれば複数となるが、大型であれば少数となる。ローラーの大小・数量にかかわらず、役割は同様である。
【０００７】  丸のこ本体下部のフレームカバーにローラーを取り付けるが、現在使用中の電動丸ノコにも簡単に取り付けることが出来る。その事により現在の電動丸ノコに特別の工作する事もなく低コストにて本発明に関わる電動丸ノコを提供するためである。
【実施例】
【０００８】  以下添付図面に基ずいて本発明の実施例を説明する図１〜３は本発明に係わる電動丸ノコの一例を示すものである。同図に示すようにこの丸ノコ１１は丸ノコの刃をカバーするための、丸型フレームとで成り立っている。丸ノコ刃２４使用するため丸型フレームは１２と１４に分かれ、使用中１４は１２の中に格納されるようになっている。一方、丸ノコの刃の交換時には１５を持ち上げて１４をスライド上昇させることにより、丸ノコの刃がむきだしになり交換がスムーズに行うことが出来る２２は電源コード・２１は電源スイッチであり１３の取っ手が手元に設置されている。【０００９】  上下台１８は２０の軸により上下し、丸ノコの刃の出し入れを調整する。使用部材２５を切断する時、半径下部フレームカバー１４に取り付けたローラー１６に接触することにより回転・スライドする。１７は複数の１６をあらかじめ工作した平板である。使用部材２５を１６のローラーで捕え回転しながら使用部材２５を切り進む。【００１０】  本体１１に固定してある上部フレーム１２の中央横部に固定取り付けてある２３は、下部スライドフレームカバーを必要の場に止めるアタリ止めである。固定上部フレームから下部スライドフレームカバーを引き戻すために円形バネが使用されている。又１８の上下台を固定するため１９の蝶型ネジを使用している。
【発明の効果】
【００１１】  以上説明した様に本発明に係わる電動丸ノコを使用して、作業者の安全を確保し、又心理的抵抗感を緩和し、作業が快適且つ円滑に出来ることを提供することが出来る電動丸ノコである。
【図面の簡単な説明】【図１】本発明に係わる電動丸ノコの一例（使用状態）を示す斜視図である。
【図２】本発明に係わる電動丸ノコの一例を示す横正面図である。
【図３】本発明に係わる電動丸ノコの一例を示す側面断面図である。
【図４】本発明に係わる電動丸ノコの別の例２６（使用状態）を示す斜視図である。
【符号の説明】
１１．          電動丸ノコ本体    １２．          上部フレーム    １３．          電動丸ノコ本体取っ手    １４．          下部スライドフレームカバー    １５．          下部スライドフレームカバー上下手動用取っ手    １６．  ２６    ローラー    １７．          ローラー平板    １８．          上下台    １９．          上下台止め蝶型ネジ    ２０．          上下台軸    ２１．          モータースイッチ    ２２．          モーターコード    ２３．          下部スライドフレームカバーアタリ止め    ２４．          丸ノコ刃部    ２５．          使用部材
【図１】
2005199416.tif 000003
【図２】
2005199416.tif 000004
【図３】
2005199416.tif 000005
【図４】
2005199416.tif 000006